(57)【要約】【課題】外部機器である例えばカメラ付き専用子機（若しくはカメラ付き携帯電話機）から送信されてきた情報（画情報または文字情報等）と、装置本体側で読み取った原稿画情報との種々の合成処理を、ユーザが何ら指示操作を行うことなく簡単に実施する。【解決手段】合成処理モードが開始されると、主制御部１６は、スキャナ部１１による原稿の読み取りタイミングと、子機２からの情報（画情報または文字情報等）の受信タイミングとによって、原稿画情報と受信情報（画情報または文字情報等）との合成順序を決定する。すなわち、スキャナ部１１による原稿の読み取り開始前に、子機２から情報を受信した場合には、受信情報の続きとして読み取った原稿画情報を合成する。また、スキャナ部１１による原稿の読み取り途中に、子機２から情報を受信した場合には、原稿画情報の続きとして受信情報を合成する。【選択図】図２
2008166857.tif 000002
【特許請求の範囲】
【請求項１】
外部機器から送信されてくる情報を受信する受信手段と、
原稿等の画情報を読み取る読取手段と、
前記受信手段で受信した受信情報と前記読取手段で読み取られた読取情報とを合成処理する画像処理手段と、
前記画像処理手段で合成処理した画情報を外部に送信する送信手段とを備えた情報伝送装置において、
前記画像処理手段は、前記読取手段による画情報の読み取りタイミングと、前記受信手段による情報の受信タイミングとによって、前記読取情報と前記受信情報との合成順序を決定することを特徴とする情報伝送装置。
【請求項２】
前記画像処理手段は、前記読取手段による画情報の読み取り開始前に、前記受信手段で情報を受信した場合には、前記受信情報の続きとして前記読取情報を合成することを特徴とする請求項１に記載の情報伝送装置。
【請求項３】
前記画像処理手段は、前記読取手段による画情報の読み取り途中に、前記受信手段で情報を受信した場合には、前記読取情報の続きとして前記受信情報を合成することを特徴とする請求項１または請求項２に記載の情報伝送装置。
【請求項４】
前記画像処理手段は、前記読取手段による画情報の読み取り終了後に、前記受信手段で情報を受信した場合には、前記読取情報の次ページの情報として前記受信情報を合成することを特徴とする請求項１ないし請求項３のいずれかに記載の情報伝送装置。
【請求項５】
前記画像処理手段は、合成処理に際し、指定されたページサイズに合うように、前記受信情報及び／または前記読取情報のサイズ調整を行うことを特徴とする請求項１ないし請求項３のいずれかに記載の情報伝送装置。
【請求項６】
前記画像処理手段は、サイズ調整を行う情報が画情報である場合には、画像サイズを拡大または縮小することによって調整を行うことを特徴とする請求項５に記載の情報伝送装置。
【請求項７】
前記画像処理手段は、サイズ調整を行う情報が文字情報である場合には、文字サイズまたは文字間隔または行間隔のうち少なくとも文字間隔または行間隔のいずれか一方を変更することによって調整を行うことを特徴とする請求項５に記載の情報伝送装置。
【請求項８】
前記受信情報または前記読取情報のいずれを優先するのかを設定する優先設定手段をさらに備え、
前記画像処理手段は、前記優先設定手段により優先設定された情報を原寸大とし、優先設定されなかった情報をサイズ調整することを特徴とする請求項５ないし請求項７のいずれかに記載の情報伝送装置。
【請求項９】
前記受信情報の個数を予め設定する個数設定手段をさらに備え、
前記画像処理手段は、前記個数設定手段により受信情報の個数が設定されている場合には、外部機器から最初に送信されてきた情報の受信タイミングに基づいて決定される合成順序となるように、その後に受信した前記設定個数の受信情報を一続きとして合成することを特徴とする請求項２ないし請求項４のいずれかに記載の情報伝送装置。
【請求項１０】
前記外部機器がカメラ機能付きの専用子機、またはカメラ付き携帯電話機である請求項１ないし請求項９のいずれかに記載の情報伝送装置。
【請求項１１】
前記送信手段が、ファクシミリモデムまたはメールコントローラである請求項１に記載の情報伝送装置。
【発明の詳細な説明】
【技術分野】
【０００１】
本発明は、外部機器から送信されてくる情報を受信する受信手段と、情報を読み取る読取手段と、前記受信手段で受信した受信情報と前記読取手段で読み取られた読取情報とを合成処理する画像処理手段と、前記画像処理手段で合成処理した情報を外部に送信する送信手段とを備えた情報伝送装置に係り、より詳細には、画像処理手段での合成処理に特徴を有する情報伝送装置に関する。
【背景技術】
【０００２】
従来から、子機のカメラで撮影された写真画像を親機からファクシミリ送信または電子メールの添付ファイルとして送信する技術が開示されている（例えば、特許文献１参照）。
【０００３】
また、原稿を読み取った画像データと、他の装置で入力したデータとを編集する技術も開示されている（例えば、特許文献２参照）。
【０００４】
特許文献１の固定電話装置は、電話装置本体に、電話回線を通じて画像の通信を行うファクシミリ機能部または電子メールの添付ファイルとして画像を送る機能部を備えており、この電話装置本体とは別に、撮影された画像をファクシミリ機能部に伝送する画像伝送機能付きカメラを有する子機が設けられている。そして、このカメラ付き子機のカメラ機能を用いて取り込んだ書類や本、あるいは人物などの画像を電話装置本体にコードレスで伝送し、ファクシミリ機能部により電話回線を通して、ファクシミリ画像または電子メールの添付ファイルとして相手に送信するようになっている。
【０００５】
また、特許文献２の画像処理システムは、通信回線を介して他の画像処理手段からデータを受信して処理した後、他の画像処理装置へ送信することが可能な高機能の編集処理手段を有する少なくとも１台の高機能画像処理装置を備え、それ以外の各画像処理装置は、高機能画像処理装置が処理可能な項目内容を提示し、動作の指示入力によって処理内容を判断して高機能画像処理装置の処理が必要な場合にはデータを高機能画像処理装置に送信し、処理された画像データを受信して記録するようになっている。すなわち、任意の画像処理装置である子機から取り込んだ大きな処理量を要する画像処理ジョブを、高機能画像処理装置である親機側に送信して処理し、処理後のデータを親機から受信することで、取り込んだデータの処理を行うことができるようになっている。
【特許文献１】特開２００４−２６６７１２号公報
【特許文献２】特開平５−３２８０９８号公報
【発明の開示】
【発明が解決しようとする課題】
【０００６】
上記特許文献１の固定電話装置は、カメラ付き子機のカメラ機能を用いて取り込んだ書類や本、あるいは人物などの画像を、ファクシミリ画像または電子メールの添付ファイルとして単に送信するのみであり、取り込んだ画像を編集することに関しては全く考慮されていない。また、取り込んだ複数の情報（写真説明文などのスキャン画像と、子機からの写真画像等）の関連付けも行えないといった問題があった。
【０００７】
また、上記特許文献２の画像処理システムによれば、子機で取り込んだ画像データ等を親機側に送信し、子機から編集指示を入力することで、親機側でその指示に従った編集を行うことが可能である。しかし、編集のためにはユーザが子機から編集指示を入力する必要があり、編集作業が煩雑であるといった問題があった。また、子機側からでは、送信した写真画像と親機側でスキャンされたその写真説明文とを関連付けて編集することができないといった問題があった。
【０００８】
本発明はかかる問題点を解決すべく創案されたもので、その目的は、外部機器である例えばカメラ付き専用子機（若しくはカメラ付き携帯電話機）から送信されてきた情報（受信情報）と、装置本体側で読み取った読取情報との種々の合成処理を、ユーザが何ら指示操作を行うことなく簡単に合成することのできる情報伝送装置を提供することにある。
【課題を解決するための手段】
【０００９】
上記課題を解決するため、本発明の情報伝送装置は、外部機器から送信されてくる情報を受信する受信手段と、原稿等の画情報を読み取る読取手段と、前記受信手段で受信した受信情報と前記読取手段で読み取られた読取情報とを合成処理する画像処理手段と、前記画像処理手段で合成処理した画情報を外部に送信する送信手段とを備えており、前記画像処理手段は、前記読取手段による画情報の読み取りタイミングと、前記受信手段による情報の受信タイミングとによって、前記読取情報と前記受信情報との合成順序を決定することを特徴としている。
【００１０】
より具体的には、前記画像処理手段は、前記読取手段による情報の読み取り開始前に、前記受信手段で情報を受信した場合には、受信情報の続きとして読取情報を合成して、１つのファイルを生成する。例えば、合成情報（合成画情報）を１ページとして出力する場合には、当該ページの上段に受信情報（例えば、写真等の画情報）が配置され、下段に読取情報（例えば写真説明文等の原稿画情報）が配置されるように合成する。
【００１１】
また、前記画像処理手段は、前記読取手段による画情報の読み取り途中に、前記受信手段で情報を受信した場合には、読取情報の続きとして受信情報を合成して、１つのファイルを生成する。例えば、合成画情報を１ページとして出力する場合には、当該ページの上段に読取情報（例えば写真説明文等の原稿画情報）が配置され、下段に受信情報（例えば、写真等の画情報）が配置されるように合成する。
【００１２】
また、前記画像処理手段は、前記読取手段による画情報の読み取り終了後に、前記受信手段で情報を受信した場合には、読取情報の次ページの情報として受信情報を合成して、１つのファイルを生成する。従って、出力時（例えば、印字出力時等）には、１ページ目に読取情報が配置され、２ページ目に受信情報が配置されるように、全２ページとして合成する。すなわち、受信情報は最終ページとして、他のページとは区別して出力されることになる。
【００１３】
このように、本発明では、受信手段による情報の受信タイミング、すなわち、外部機器からの送信タイミングに応じて、受信情報の合成順序を自動的に決定するように構成している。従って、ユーザは、読取手段での画情報の読み取り状況を見ながら、外部機器を使用して、例えば写真撮影した情報（この場合は、画情報）を本装置側に送信するタイミングを図るだけで、煩わしい編集操作やキー操作をすることなく、２つの情報の合成処理（編集処理）を行うことができる。この場合、読取手段での画情報の読み取り前に外部機器から情報を送信すると、その送信情報（装置側では受信情報）が読取情報の前に合成され、読取手段での画情報の読み取り途中に外部機器から情報を送信すると、その送信情報（装置側では受信情報）が読取情報の後に合成され、読取手段での画情報の読み取り終了後に外部機器から情報を送信すると、その送信情報（装置側では受信情報）が読取情報の次のページとして合成されるので、編集処理の操作に慣れていないユーザでも、直感的な操作で写真画像等の受信情報を読取情報に対して所望の位置に挿入することが可能となる。
【００１４】
ところで、上記のように受信情報と読取情報とを単純に合成した場合、例えば読取情報がＡ４サイズの情報であった場合に、合成画情報がこのＡ４サイズからはみ出してしまう可能性がある。
【００１５】
そこで、本発明ではこのような状況を考慮する処理も行うようになっている。すなわち、前記画像処理手段は、合成処理に際し、指定されたページサイズに合うように、前記受信情報及び／または前記読取情報のサイズ調整を行うことを特徴としている。
【００１６】
具体的には、前記画像処理手段は、サイズ調整を行う情報が写真等の画情報である場合には、画像サイズを拡大または縮小することによって、当該ページに収まるように調整を行う。また、前記画像処理手段は、サイズ調整を行う情報が文字情報である場合には、文字サイズまたは文字間隔または行間隔のうち少なくとも文字間隔または行間隔のいずれか一方を変更することによって、当該ページに収まるように調整を行う。
【００１７】
さらに、このサイズ調整は、必ずしも１ページに納めるための調整に限定されるものではない。例えば、受信した写真画像等のサイズが小さいために、写真説明文等の読取情報との配置バランスが悪い場合にも、写真画像を所定のサイズ（例えば、写真のＬ版等）に拡大することによって、写真説明文とのバランスを調整するようにしてもよい。
【００１８】
また、本発明では、このようなサイズ調整を、ユーザの指示によって行うように構成してもよい。すなわち、受信情報または読取情報のいずれを優先するのかを設定する優先設定手段をさらに備え、前記画像処理手段は、前記優先設定手段により優先設定された情報を原寸大とし、優先設定されなかった情報をサイズ調整するように構成してもよい。これにより、ユーザの意図した配置構成の編集処理が可能となる。
【００１９】
また、本発明の情報伝送装置は、前記受信情報の個数を予め設定する個数設定手段をさらに備えており、前記画像処理手段は、前記個数設定手段により受信情報の個数が設定されている場合には、外部機器から最初に送信されてきた情報の受信タイミングに基づいて決定される合成位置に、受信した前記設定個数の受信情報を一続きとして合成することを特徴としている。このような構成とすれば、複数個の受信情報を、読取情報に対する所望の箇所にまとめて挿入することができるため、ユーザにとってより使い勝手の良いものとなる。
【００２０】
なお、本発明では、前記外部機器として、情報伝送装置に付属するカメラ機能付きの専用子機、またはカメラ付き携帯電話機を利用することが可能である。また、前記送信手段は、ファクシミリ送信する場合にはＦＡＸモデムとすることができ、ＬＡＮ(Local Area Network)経由で電子メールとして送信する場合には、メールコントローラとすることができる。
【発明の効果】
【００２１】
本発明の情報伝送装置によれば、受信手段による情報の受信タイミング、すなわち、外部機器からの送信タイミングに応じて、受信情報の合成順序を自動的に決定するように構成したので、ユーザは、読取手段での画情報の読み取り状況を見ながら、外部機器を使用して、例えば写真撮影した画情報を本装置側に送信するタイミングを計るだけで、煩わしい編集操作やキー操作をすることなく、２つの情報の合成処理（編集処理）を行うことができる。これにより、編集処理の操作に慣れていないユーザでも、直感的な操作で写真画像等の受信情報を読取情報に対する所望の位置に挿入する編集処理を簡単に行うことができる。
【発明を実施するための最良の形態】
【００２２】
以下、本発明の実施の形態について、図面を参照して説明する。
【００２３】
図１は、本発明の情報伝送装置の一実施形態であるファクシミリ装置の外観図である。
【００２４】
このファクシミリ装置は、ファクシミリ装置本体１と、カメラ機能付き子機（以下、単に子機という。）２とを備えており、子機２とファクシミリ装置本体１とは無線通信によって相互接続されている。そのため、ファクシミリ装置本体１には、子機２と無線通信するためのアンテナ３が設けられている。また、ファクシミリ装置本体１には、読み取った情報や子機２から送信されてきた情報を電子メールとして送信するためのＬＡＮケーブル４、及び公衆電話交換網（ＰＳＴＮ）に接続するための電話回線ケーブル５が接続されている。ここで、無線通信の形態としては、Ｂｌｕｅｔｏｏｔｈや赤外線通信（ＩｒＳＣ(Infrared Simple Connect）等）などの形態を例示することができる。
【００２５】
図２は、上記構成のファクシミリ装置の電気的構成を示す機能ブロック図である。
【００２６】
子機２は、ＣＣＤ等の撮像素子を搭載したカメラ部２１、通常の電話として使用する場合の図示しないマイクやイヤピースを備えた通話部２２、カメラ部２１で撮影された画像情報を蓄えたり、子機２の動作時には各ブロックの制御情報を一時記憶するワークエリアとしても働くＲＡＭ等のメモリ部２３、子機全体の制御情報等が格納されたＲＯＭ２４、ユーザによって操作される各種キーを備えたユーザインターフェース（Ｕ／Ｉ）部２５、ＲＯＭ２４に格納された制御情報に従って各ブロックの動作を制御するＣＰＵ等からなる主制御部２６、ファクシミリ装置本体１との間で各種情報を送受信するための無線通信部２７、及びデータバス２８によって構成されている。データバス２８は、子機２の各ブロック間で送受される情報（データ信号）を伝達する信号線である。
【００２７】
ファクシミリ装置本体１は、ＡＤＦ(Automatic Document Feeder)を備えたスキャナ部１１、スキャナ部１１で読み取った情報（画情報）や子機２から送信されてきた情報（画情報または文字情報）の処理を行う画像処理部１２、画像処理部１２で処理された情報を格納するとともに、ファクシミリ装置本体１の動作時には各ブロックの制御情報を一時記憶するワークエリアとしても働くＲＡＭ等のメモリ部１３、ファクシミリ装置本体１の制御情報等が格納されたＲＯＭ１４、ユーザによって操作される各種キーを備えたユーザインターフェース（Ｕ／Ｉ）部１５、ＲＯＭ１４に格納された制御情報に従って各ブロックの動作を制御するＣＰＵ等からなる主制御部１６、子機２との間で各種情報を送受信するための無線通信部１７、メモリ部１３に格納された情報を外部に送信するための外部インターフェース（Ｉ／Ｆ）部１８、及びデータバス１９によって構成されている。データバス１９は、ファクシミリ装置本体１の各ブロック間で送受される情報（データ信号）を伝達する信号線である。
【００２８】
上記構成において、本実施形態のファクシミリ装置は、スキャナ部１１で読み取った読取情報（画情報）と、子機２から送信され、無線通信部１７を介して受信された受信情報（画情報または文字情報）とを画像処理部１２で合成処理する合成処理モードを備えている。この合成処理モードは、Ｕ／Ｉ部１５を介してユーザにより入力された合成処理モードの実行指示により、主制御部１６がこれを認識して、画像処理部１２による合成処理を実施するようになっている。
【００２９】
図３は、合成処理モードを実行したときの各情報の処理の流れをイメージ的に示した説明図である。以下、この図３に示す各情報の処理の流れについて説明する。
【００３０】
子機２のカメラ部２１で撮影された写真等の情報（この場合は、画情報）ｎは、メモリ部２３に蓄えられる（図中、（経路１））。そして、Ｕ／Ｉ部２５を介してユーザにより入力された上記情報ｎの送信指示により、主制御部２６がこれを認識して、メモリ部２３から上記情報ｎを読み出し、無線通信部２７を通じてファクシミリ装置本体１側に送信する（図中、（経路２））。
【００３１】
ファクシミリ装置本体１側では、送信されてきた情報（画情報等）ｎを無線通信部１７を介して受信し、この受信情報（画情報等）ｎをメモリ部１３に保存する（図中、（経路３））。
【００３２】
また、ファクシミリ装置本体１は、これと並行若しくは前後して、スキャナ部１１により載置原稿の情報が読み取られると、その読取情報（原稿画情報）ｐを、メモリ部１３に保存する（図中、（経路４））。このとき、主制御部１６は、子機２から送信されてきた受信情報（画情報等）ｎとスキャナ部１１による読取情報（原稿画情報）ｐとを関連付けて保存する。また、主制御部１６は、スキャナ部１１による読取情報（原稿画情報）ｐの読み取りタイミングと、子機２から送信されてきた情報（画情報等）ｎの受信タイミングとを監視し、そのタイミングによって各種の合成処理を実施するのであるが、これについては後述する。
【００３３】
この後、スキャナ部１１による１ページ分の原稿画情報の読み取りを終了すると、メモリ部１３に関連付けて保存されている読取情報（原稿画情報）ｐと受信情報（画情報等）ｎとが読み出され、画像処理部１２に受け渡される（図中、（経路５））。画像処理部１２では、この関連している読取情報（原稿画情報）ｐと受信情報（画情報等）ｎとを関連付けに従って合成し、この合成後の情報（合成画情報）Ａを再びメモリ部１３に保存する（図中（経路６））。
【００３４】
この後、スキャナ部１１での読み取り処理を全て終了し、Ｕ／Ｉ部１５を介してユーザにより合成画情報Ａの送信が指示されると、主制御部１６はこの送信指示に基づき、メモリ部１３から合成画情報Ａを読み出し、外部Ｉ／Ｆ部１８の例えばＦＡＸモデムを介して外部にＦＡＸ送信する（図中、（経路７））。
【００３５】
以上が、子機２から送信されてきた情報と、スキャナ部１１で読み取られた画情報とを合成して外部に送信するまでの各情報の処理の流れである。
【００３６】
次に、スキャナ部１１による画情報の読み取りタイミングと、子機２から送信されてきた情報（画情報または文字情報）の受信タイミングとに基づく合成処理の実施例について、以下具体的に説明する。
【実施例１】
【００３７】
本実施例１は、合成処理の基本的な流れを示す実施例である。以下、図４に示すフローチャート、及び図５ないし図８に示す説明図を参照して本実施例１の合成処理を説明する。
【００３８】
スキャナ部１１に送信原稿をセットし、Ｕ／Ｉ部１５を介してユーザにより合成処理の実行指示が入力されることによって、合成処理モードが開始される。
【００３９】
合成処理モードが開始されると、主制御部１６は、子機２から情報が送信されてきたか否か（ステップＳ１）、及び原稿の読み取り開始指示がＵ／Ｉ部１５を介して入力されたか否か（ステップＳ２）をそれぞれ監視する。その結果、原稿の読み取り開始前に子機２から情報が送信されてきた場合（ステップＳ１でＹｅｓと判断された場合）には、主制御部１６は、受信情報（本実施例１では、写真等の画情報とする）ｎ１をメモリ部１３に一旦格納するとともに、原稿読み取り開始前に子機２から画情報ｎ１を受信したことを記憶（受信フラグをオン）する（ステップＳ３）。
【００４０】
一方、原稿の読み取り開始指示が入力されると、スキャナ部１１による原稿の読み取りを開始する（ステップＳ４）。
【００４１】
原稿の読み取りを開始すると、主制御部１６は、受信フラグの状態を確認し（ステップＳ６）、受信フラグがオンされている場合（ステップＳ６でＹｅｓと判断された場合）には、メモリ部１３に一旦格納した画情報ｎ１と、読み取った原稿情報（原稿画情報）ｐとを関連付けて記憶する（ステップＳ７）。ここでの関連付けは、画情報ｎ１の続きとして原稿画情報ｐを合成するように指示する関連付けである。なお、この時点で受信フラグをオフとする。
【００４２】
一方、主制御部１６は、この原稿読み取りと並行して、子機２から画情報ｎ２が送信されてきたか否かを監視する（ステップＳ８）。その結果、原稿読み取り中に子機２からの画情報ｎ２を受信し、一旦メモリ部１３に格納した場合（ステップＳ８でＹｅｓと判断された場合）には、メモリ部１３に格納した画情報ｎ２と、読み取っている原稿画情報ｐとを関連付けて記憶する（ステップＳ９）。ここでの関連付けは、原稿画情報ｐの続きとして画情報ｎ２を合成するように指示する関連付けである。
【００４３】
主制御部１６は、このような関連付けを行いつつ、当該ページの読み取りを終了したか否かを監視する（ステップＳ１０）。そして、当該ページの読み取りを終了すると、ステップＳ７またはステップＳ９で行った関連付けに従い、画像処理部１２にて画情報ｎ（ｎ１及び／またはｎ２）と原稿画情報ｐとを合成して、再びメモリ部１３に格納する（ステップＳ１１）。
【００４４】
この後、スキャナ部１１に次の原稿（次ページ）がある場合（ステップＳ１２でＹｅｓと判断された場合）には、ステップＳ４に戻って次ページの原稿の読み取りを開始する。一方、次ページが無い場合（ステップＳ１２でＮｏと判断された場合）には、原稿読み取りを終了し、次に、原稿読み取り終了後に子機２から画情報ｎ３が送信されてきたか否か（ステップＳ１３）、及び読み取った原稿の送信指示がＵ／Ｉ部１５を介して入力されたか否か（ステップＳ１５）をそれぞれ監視する。そして、送信開始前に子機２からの画情報ｎ３を受信した場合（ステップＳ１３でＹｅｓと判断された場合）には、メモリ部１３に格納されている原稿画情報ｐと受信した画情報ｎ３とを合成して、メモリ部１３に格納する（ステップＳ１４）。このときの合成は、原稿画情報ｐの最後のページとして画情報ｎ３を合成する処理となる。
【００４５】
この後、送信指示があると（ステップＳ１５でＹｅｓと判断されると）、主制御部１６は、メモリ部１３に格納している合成後の情報（合成画情報）を読み出して外部に送信する（ステップＳ１６）。
【００４６】
図５は、上記ステップＳ７で関連付けを行った場合の合成画情報のイメージ図である。すなわち、ステップＳ７の関連付けに従うと、合成画情報は、例えばＡ４縦サイズの１ページ画像である場合には、当該ページの上段に画情報ｎ１である写真画像が配置され、下段に原稿画情報ｐである文章が配置される形となる。
【００４７】
図６は、上記ステップＳ９で関連付けを行った場合の合成画情報のイメージ図である。ただし、この例は、原稿読み取り開始前に子機２から画情報ｎ１を受信しなかった場合の例である。すなわち、ステップＳ９の関連付けに従うと、合成画情報は、例えばＡ４縦サイズの１ページ画像である場合には、当該ページの上段に原稿画情報ｐである文章が配置され、下段に画情報ｎ２である写真画像が配置される形となる。
【００４８】
図７は、上記ステップＳ７とステップＳ９とで関連付けを行った場合の合成画情報のイメージ図である。すなわち、この場合にはステップＳ７の関連付けとステップＳ９の関連付けの双方に従うことになるので、合成画情報は、例えばＡ４縦サイズの１ページ画像である場合には、当該ページの上段に画情報ｎ１である写真画像が配置され、中段に原稿画情報ｐである文章が配置され、下段に画情報ｎ２である写真画像が配置される形となる。
【００４９】
図８は、上記ステップＳ１４で関連付けを行った場合の合成画情報のイメージ図である。ただし、この例は、ステップＳ７及びステップＳ９の双方の関連付けを行わなかった場合の合成画情報のイメージ図である。すなわち、この場合には、原稿画情報ｐを１ページ目とし、画情報ｎ３を次のページ（２ページ目）として画像ページを連結する。
【実施例２】
【００５０】
ところで、上記実施例１のように受信した画情報と読み取った原稿画情報とを単純に合成した場合、例えば出力形態としてＡ４縦サイズを選択した場合は合成画情報が１ページに収まる（図５ないし図７の場合）が、Ｂ５縦サイズを選択した場合は１ページに収まらず、例えば図６の例では画情報ｎ２が途中から２ページ目に分かれてしまう、といた不具合が発生する可能性がある。本実施例２は、このような状況を考慮したものである。すなわち、合成処理に際し、指定されたページサイズに合うように、画情報ｎまたは原稿画情報ｐの両方若しくはいずれか一方のサイズ調整を行う実施例である。
【００５１】
図９（ａ）は、画情報ｎのサイズを縮小することで、原稿画情報ｐと画情報ｎとが１ページに収まるように調整した例であり、図９（ｂ）は、原稿画情報ｐのサイズを縮小することによって、原稿画情報ｐと画情報ｎとが１ページに収まるように調整した例である。
【００５２】
また、このようなサイズ調整は、必ずしも１ページに納めるための調整に限定されるものではない。例えば、画情報ｎのサイズが小さいために、写真説明文等の原稿画情報ｐとの配置バランスが悪い場合には、画情報ｎを所定のサイズ（例えば、写真のＬ版等）に拡大することによって、原稿画情報ｐとのバランスを調整するようにしてもよい。
【００５３】
図１０は、このときの調整例を示している。上段の原稿画情報ｐに対して下段の画情報ｎのサイズが小さすぎる（例えば、証明写真程度のサイズ）ため、この画情報ｎをＬ版程度に拡大している。これにより、原稿画情報ｐとのバランスのとれた画情報ｎとなる。このような調整以外にも、例えば、子機２から受信した画情報ｎのサイズが３２０×２４０ピクセルであり、これに対するＦＡＸ画像（Ａ４サイズ）の主走査が１６６４ｄｏｔであるので、この場合には、画情報ｎを、１６６４／３２０倍に拡大することによって、用紙サイズに合わせるように調整してもよい。
【００５４】
なお、このような拡大、縮小処理は、主制御部１６により、Ｕ／Ｉ部１５を介してユーザにより予め指定されたページサイズに合うように、自動的に調整するようにしておけばよい。
【００５５】
ただし、このようなサイズ調整を、ユーザの指示によって行うように構成してもよい。すなわち、子機２からの受信情報、またはスキャナ部１１による読取情報のいずれを優先してサイズ調整するのかを予め設定する優先設定手段をＵ／Ｉ部１５に設けておき、主制御部１６では、受信情報と読取情報とが指定されたページサイズに収まらない場合に、この優先設定手段により優先設定された情報を原寸大とし、優先設定されなかった情報を、優先設定された情報に合わせるようにサイズ調整する構成としてもよい。例えば、スキャナ部１１による読取情報である原稿画情報ｐを優先するように設定した場合（原稿優先モード）には、図９（ａ）に示すようなサイズ調整となる。一方、子機２から送信されてきた画情報ｎを優先するように設定した場合（受信データ優先モード）には、図９（ｂ）に示すようなサイズ調整となる。また、このような優先設定がされなかった場合には、両方の情報（画情報ｎ及び原稿画情報ｐ）を、指定されたページサイズに合うように均等に（同じ縮尺で）縮小または拡大するようにしておけばよい。これにより、ユーザの意図した、かつバランスのとれた配置構成に編集処理することが可能となる。
【実施例３】
【００５６】
本実施例３は、合成処理モードを実行する前に、子機２から送信する情報の数、すなわち無線通信部１７を介して受信する情報の数（個数）を予め設定しておいた場合の実施例である。すなわち、受信情報の個数を予め設定する個数設定手段をＵ／Ｉ部１５に設けておき、主制御部１６は、Ｕ／Ｉ部１５を介して受信情報の個数が設定された場合に、本実施例３を実行する。
【００５７】
具体的には、子機２から最初に送信されてきた情報（本実施例３では、写真等の画情報）ｎの受信タイミングに基づいて決定される合成位置に、その後受信した設定個数の受信情報を一続き（ひと纏め）として合成する。なお、最初に送信されてきた画情報ｎの受信タイミングに基づく合成位置の決定処理については、上記実施例１で説明した図４に示すフローチャートの処理手順と同じである。従って、本実施例３では、図４に示すフローチャートを踏まえつつ、本実施例３に特有の処理のところだけを以下に具体的に説明することとする。また、以下の説明では、受信する画情報の個数が３個に設定されている場合について説明する。
【００５８】
例えば、原稿読み取り開始前に子機２から最初の（１個目の）画情報ｎ１を受信した場合には、図４のステップＳ１〜ステップＳ７までの処理が実行される。そして、ステップＳ８において、原稿読み取り中に子機２からの次の（２個目の）画情報ｎ２を受信した場合には、ステップＳ９に行くことになるが、本実施例３では、このステップＳ９の処理が上記実施例１とは異なっている。すなわち、このステップでは、メモリ部１３に格納されている画情報ｎ１と原稿画情報ｐとの関連付けに対してさらに、画情報ｎ２の関連付けを行う。このときの関連付けは、画情報ｎ１に続くように画情報ｎ２を関連付け、さらにこの画情報ｎ２に続くように原稿画情報ｐを関連付けることになる。
【００５９】
この後、図４のステップＳ１０〜ステップＳ１２の処理を実行して原稿の読み取りを終了し、次に、原稿読み取り終了後に子機２から３個目の画情報ｎ３が送信されてきた場合（ステップＳ１３でＹｅｓと判断された場合）には、ステップＳ１４に行くことになるが、本実施例３では、このステップＳ１４の処理が上記実施例１とは異なっている。すなわち、このステップでは、メモリ部１３に格納されている画情報ｎ１，ｎ２と原稿画情報ｐとの関連付けに対してさらに、画情報ｎ３の関連付けを行う。このときの関連付けは、画情報ｎ２に続くように画情報ｎ３を関連付け、さらにこの画情報ｎ３に続くように原稿画情報ｐを関連付けることになる。すなわち、画情報ｎ１，ｎ２，ｎ３に続けて原稿画情報ｐを関連付けることになる。
【００６０】
このような関連付けの結果、本実施例３の合成画情報のイメージは、図１１（ａ）に示すような画像となる。因みに、子機２からの最初の（１個目）の画情報ｎ１が、原稿読み取り中に受信された場合の合成画情報のイメージは、図１１（ｂ）に示すような画像となる。
【００６１】
本実施例３によれば、複数個の画情報を、原稿画情報に対して所望する箇所にまとめて挿入することができるため、ユーザにとってより使い勝手の良いものとなる。
【実施例４】
【００６２】
上記実施例１の場合において、ステップＳ９で関連付けを行った場合の合成画情報のイメージを図６に示しているが、スキャナ部１１で読み取られた原稿が例えばＡ４縦サイズであり、その原稿の後半部分の大半が余白（空欄）であった場合、この原稿画情報ｐ１１と写真等の画情報ｎ１１とをそのまま合成すると、図１２に示すように、原稿画情報ｐ１１の余白の下に、画情報ｎ１１が合成されることになり、合成画像Ａ１１は、Ａ４縦サイズより長い、間延びしたサイズとなってしまう。そこで、本実施例４では、このような場合に原稿画情報ｐ１１の余白部分を切り捨て、この切り捨てた原稿画情報Ｐ１２と画情報ｎ１１とを合成する。これにより、Ａ４縦サイズに収まった合成画像Ａ１２とすることができる。
【実施例５】
【００６３】
上記実施例１〜４では、子機２側から写真等の画情報ｎが送信され、ファクシミリ装置本体１側では、スキャナ部１１で写真説明文のような原稿画情報ｐを読み取る構成として説明しているが、本実施例５では、図１３に示すように、子機２側から文字情報（テキストデータ）を送信し、ファクシミリ装置本体１側では、例えばユーザの描いたイラスト等の原稿画情報をスキャナ部１１で読み取り、この読み取ったイラスト等の原稿画情報ｎ２１と、子機２から送信されてきた文字情報ｐ２１とを、その受信タイミングに応じて合成するようにしてもよい。この例では、原稿読取開始前に子機２から文字情報が送信されてきた場合、すなわち、図４で言えばステップＳ７で関連付けを行った場合の図５に対応している。
【００６４】
この場合、子機２が携帯電話機等である場合には、テンキー等に割り当てられた５０音や英文字を使って文字情報を入力することが可能である。すなわち、子機２を用いてキーボードの機能を代用することが可能となる。
【００６５】
なお、本実施例５では、子機２から送信されてくる情報が文字情報（テキストデータ）であるので、この文字情報に上記実施例２のサイズ調整を適用する場合には、文字サイズや文字間隔、行間隔等を変更することによって調整すればよい。例えば、文字サイズが１２ポイント、文字間隔が５ｍｍ、行間隔が５ｍｍである場合に、文字サイズを１０．５ポイント、文字間隔を４ｍｍ、行間隔を４ｍｍに変更することで、文字情報全体のサイズを縮小することができる。ただし、文字サイズについては、必ずしも変更する必要がない場合もある。また、横幅だけを縮小または拡大したい場合には、文字間隔だけを変更すればよく、長さ方向だけを縮小または拡大したい場合には、行間隔だけを変更すればよい。いずれにしても、このようなサイズ調整は、画像処理部１２において、指定されたページサイズに合うように自動的に調整するようにしておけばよい。
【実施例６】
【００６６】
本実施例６は、上記実施例１〜５以外の他の実施例である。
【００６７】
最近の携帯電話機では、ＱＲコードを解析する機能を搭載しているものが普及している。従って、ユーザが例えば雑誌等を見ていて、気に入った情報を友達に送りたいと考えた場合に、その情報にＱＲコードが付与されていた場合には、子機２によってＱＲコードを撮影する。そして、そのＱＲコードの内容を自動的に解析し、その結果をイメージ化（ＵＲＬ(Uniform Resource Locator)に変換）して、ファクシミリ装置本体１側に送信するようにしてもよい。この場合、ファクシミリ装置本体１側で、送信されてきたデータがＵＲＬであることを認識できるのであれば、このＵＲＬを、受信タイミングに従って、原稿画情報の先頭若しくは最後に埋め込む形で合成するようにしてもよい。
【図面の簡単な説明】
【００６８】
【図１】本発明の情報伝送装置の一実施形態であるファクシミリ装置の外観図である。
【図２】本実施形態のファクシミリ装置の電気的構成を示す機能ブロック図である。
【図３】合成処理モードを実行したときの各情報（データ）の処理の流れをイメージ的に示した説明図である。
【図４】実施例１の合成処理を説明するためのフローチャートである。
【図５】図４のステップＳ７で関連付けを行った場合の合成画情報のイメージ図である。
【図６】図４のステップＳ９で関連付けを行った場合の合成画情報のイメージ図である。
【図７】図４のステップＳ１４で関連付けを行った場合の合成画情報のイメージ図である。
【図８】図４のステップＳ７及びステップＳ９で関連付けを行った場合の合成画情報のイメージ図である。
【図９】（ａ）は、受信情報のサイズを縮小することで、原稿画情報と受信情報とが１ページに収まるように調整した例を示す説明図、（ｂ）は、原稿画情報のサイズを縮小することで、原稿画情報と受信情報とが１ページに収まるように調整した例を示す説明図である。
【図１０】受信情報と原稿画情報との配置バランスを調整した例を示す説明図である。
【図１１】（ａ），（ｂ）は、実施例３の合成処理を実施したときの合成画情報のイメージ図である。
【図１２】原稿画情報の空白部分を削除して合成した場合の合成画情報のイメージ図である。
【図１３】受信情報が文字情報である場合の合成画情報のイメージ図である。
【符号の説明】
【００６９】
１  ファクシミリ装置本体
２  カメラ付き子機
３  アンテナ
４  ＬＡＮケーブル
５  電話回線ケーブル
１１  スキャナ部
１２  画像処理部
１３  メモリ部
１４  ＲＯＭ
１５  ユーザインターフェース（Ｕ／Ｉ）部
１６  主制御部
１７  無線通信部
１８  外部インターフェース（Ｉ／Ｆ）部
１９  データバス
２１  カメラ部
２２  通話部
２３  メモリ部
２４  ＲＯＭ
２５  ユーザインターフェース（Ｕ／Ｉ）部
２６  主制御部
２７  無線通信部
２８  データバス
【図１】
2008166857.tif 000003
【図２】
2008166857.tif 000004
【図３】
2008166857.tif 000005
【図４】
2008166857.tif 000006
【図５】
2008166857.tif 000007
【図６】
2008166857.tif 000008
【図７】
2008166857.tif 000009
【図８】
2008166857.tif 000010
【図９】
2008166857.tif 000011
【図１０】
2008166857.tif 000012
【図１１】
2008166857.tif 000013
【図１２】
2008166857.tif 000014
【図１３】
2008166857.tif 000015